(57)【要約】【課題】  導光板とフレームが接触した状態で外力が加わった場合に軋み音が発生することを防止する面状光源装置を提供する。【解決手段】  導光板の出射面および該出射面と対向する反出射面とを除く側面において該側面にフレームの内壁の側面を対向させて配置し、該フレームの側面に、導光板の側面と面接触することを防止するための面接触防止手段、または導光板の側面にフレームの内壁の側面と面接触することを防止するための面接触防止手段が形成されている【選択図】        図１
2008041533.tif 000002
【特許請求の範囲】
【請求項１】
光源からの光を出射面から出射させるための導光板と、
一部に開口部を有し、前記光源と前記導光板を保持するフレームとを備えた面状光源装置であって、
前記導光板の出射面および該出射面と対向する反出射面とを除く側面において、該側面に前記フレームの内壁の側面を対向させて配置し、前記フレームの側面に、前記導光板の側面と面接触することを防止するための面接触防止手段が設けられていることを特徴とする面状光源装置。
【請求項２】
光源からの光を出射面から出射させるための導光板と、
一部に開口部を有し、前記光源と前記導光板を保持するフレームとを備えた面状光源装置であって、
前記導光板の出射面および該出射面と対向する反出射面とを除く側面において、該側面に前記フレームの内壁の側面を対向させて配置し、前記導光板の側面に、前記フレームの内壁の側面が面接触することを防止するための面接触防止手段が設けられていることを特徴とする面状光源装置。
【請求項３】
前記面接触防止手段は、凹部、凸部で形成されていることを特徴とする請求項１または２記載の面状光源装置。
【請求項４】
前記面接触防止手段は、傾斜面で形成されていることを特徴とする請求項１または２記載の面状光源装置。
【請求項５】
前記面接触防止手段は、曲面で形成されていることを特徴とする請求項１または２記載の面状光源装置。
【発明の詳細な説明】
【技術分野】
【０００１】
本発明は表示装置の背面に配置する面状光源装置に関する。
【背景技術】
【０００２】
従来の液晶表示装置においては、液晶表示パネルを枠体上に位置決めし、液晶表示パネルの所定の側面と対向して位置する枠体の側面に傾斜面を形成している（例えば特許文献１参照）。
【０００３】
【特許文献１】特開２００１−４９８３号公報（第２−４頁、第２図）
【発明の開示】
【発明が解決しようとする課題】
【０００４】
特許文献１に示された液晶表示装置においては、ガラス等で形成された液晶パネル側面６と、枠体２の側面に形成された傾斜面９とが、外力を受けて接触する際、液晶パネル６の角部分が優先して接触するため、面接触に起因する軋み音の発生や発塵を防止できるとしている。しかしながら、面状光源装置を構成する樹脂材料で形成された導光板４と枠体２とが接触する場合については何ら開示されていない。
【０００５】
この発明は、かかる課題を解決するためになされたもので、面状光源装置を構成するフレーム（枠体）と導光板とが接触した状態で外力が加わった場合においても、軋み音が発生することを防止することを目的とする。
【課題を解決するための手段】
【０００６】
本発明の面状光源装置は、光源から入射した光を出射面から出射させるための導光板と、一部に開口部を有し、光源と導光板を保持するフレームとを備えた面状光源装置であって、導光板の出射面および該出射面と対向する反出射面とを除く側面において、該側面にフレームの内壁の側面を対向させて配置し、該フレームの側面に導光板の側面と面接触することを防止するための面接触防止手段または導光板の側面にフレームの内壁の側面と面接触することを防止するための面接触防止手段が形成されていることを特徴とする。
【発明の効果】
【０００７】
本発明は、光源と導光板を保持するフレームとを備えた面状光源装置であって、導光板の出射面および該出射面と対向する反出射面とを除く側面において、該側面にフレームの内壁の側面を対向させて配置し、該フレームの側面に導光板の側面と面接触することを防止するための面接触防止手段または導光板の側面にフレームの内壁の側面と面接触することを防止するための面接触防止手段が形成されていることを特徴とするので、導光板とフレームが接触した状態で外力が加わった場合に軋み音が発生することを防止する面状光源装置を得ることができる。
【発明を実施するための最良の形態】
【０００８】
以下、本発明の面状光源装置および該装置を備える表示装置の実施の形態を図面に基づいて説明する。なお、各図において同一の符号を用いたものは、実質的に同様の構成を示す。
実施の形態１．
図１乃至図３は、本発明の実施の形態１にかかわる面状光源装置の概略構成を示す部分断面図である。
【０００９】
図１において、１は光源（図示せず）から入射した光を出射面から出射させるための導光板で、導光板１の出射面１ｂ上には導光板１から出射された光を均一に拡散させる光学シート類２を配置する。導光板１の出射面１ｂと対向する反出射面１ｃには光を反射させる反射シート３を配置する。導光板１及び光学シート類２および反射シート３は樹脂材料などからなる開口部を有するフレーム４に収納されており、また、そのフレーム４を覆うようにリアフレーム５が配置され、面状光源装置６を構成している。なお、導光板１の出射面１ｂの上部であって、フレーム４の開口部４ｇ上には表示パネル８を設置し、開口部を有するフロントフレーム７に面状光源装置６を内包し、表示装置９を形成している。
【００１０】
導光板１は表示装置９の表示領域に準じて、短辺と長辺を有する略直方体で形成されており、その出射面１ｂおよび反出射面１ｃを除く４つの側面１ａの形状に応じて、フレーム４の内壁の側面を対向させて配置する。導光板１の側面１ａと対向させて配置するフレーム４の内壁の側面部４ａ（以下フレーム４の側面部４ａと称する）には、図１に示すように、凸部４ｂおよび凹部４ｃが形成されている。なお、導光板１の側面１ａとフレーム４の側面部４ａとは膨張及び組立性を考慮して、ある程度の間隔(隙間)１０が設けられて配置されている。
【００１１】
図２は図１に示す表示装置９の導光板１がフレーム４側へ移動した場合の部分断面図である。図２を用いて表示装置９の導光板１がフレーム４側へ移動について説明を行う。表示装置９には、導光板１とフレーム４との間隔１０が設けられているため、表示装置９に振動などが加わった場合、この間隔１０の分、導光板１が移動する場合がある。図２に示すように、導光板１が移動した場合、導光板１の側面１ａと対向させて配置したフレーム４の側面部４ａとが接してしまう。この側面同士が接触した状態で表示装置９に圧力などの外力が加わった場合、その接触面が擦れて軋み音が発生する。本発明においては、導光板１の側面１ａと対向させて配置したフレーム４の側面部４ａに凸部４ｂおよび凹部４ｃを形成し、導光板１の移動時に、導光板１の側面１ａとフレーム４の凸部４ｂとが当接するようにしたため、フレーム４と導光板１の側面同士の接触する面積を減少させることができる。すなわち、対向する側面同士が全面で接触することを防止させることができる。このように形成することにより、導光板１とフレーム４の側面同士が接触した状態で、表示装置９に圧力などの外力が加わった場合に軋み音が発生することを防止させることができる。
【００１２】
前述の通り、フレーム４の側面部４ａは、導光板１の移動時に、導光板１の側面１ａとフレーム４の側面部４の凸部４ｂとが当接するよう形成されている。図２に示すように、フレーム４に形成させる凸部４ｂは、導光板１の移動時に、導光板１の側面１ａの高さｈに対して、側面部１ａがフレーム４の側面部４ａに当接する割合が５０％以下となるように形成する。このように形成することで、導光板1の移動時に、導光板１とフレーム４の側面同士が接触する面積が減少する。すなわち、対向する側面同士が全面で接触することを防止するため、導光板１とフレーム４の側面同士が接触した状態で、表示装置９に圧力などの外力が加わった場合に軋み音が発生することを防止させることができる。
【００１３】
本発明で用いる導光板１はアクリルやポリカーボネートなどの透明樹脂材料、フレーム４は樹脂材料等で形成する。よって、導光板１およびフレーム４は、表示装置９等に熱が加わると膨張する場合がある。図２に示すように、導光板１の出射面１ｂは光学シート類２、反出射面1ｃは反射シート３やリアフレーム５などに接触して配置されているため、導光板１に熱が加わり膨張した場合、導光板１の側面１ａ側より膨張して、導光板１の側面１ａがフレーム４の側面部４ａ側に移動する。よって、本発明の面状光源装置６を用いることで、膨張により導光板１の側面１ａがフレーム４の側面部４ａと接触し、この状態で表示装置９に圧力などの外力が加わった場合、フレーム４と導光板１との接触する側面同士の面積が減少しているため、軋み音が発生することを防止させることができる。また、表示装置９に熱が加わった場合、本発明の構成においては、フレーム４より導光板１のほうが膨張しやすいが、フレーム４が膨張した場合であっても、フレーム４の側面部４ａに凹部、凸部による面接触を減少する手段を設けているため、この状態で表示装置９に圧力などの外力が加わった場合に軋み音が発生することを防止することができる。なお、導光板１およびフレーム４の両方が膨張した場合であっても、フレーム４の側面部４ａに凸部４ｂおよび凹部４ｃによる面接触を減少させる手段を設けているため、導光板１とフレーム４の側面同士が接触した状態で、表示装置９に圧力などの外力が加わった場合に軋み音が発生することを減少することができる。
【００１４】
以上説明した通り、本発明による面状光源装置６は、導光板１の側面１ａと対向させて配置するフレーム４の側面部４ａに凸部４ｂおよび凹部４ｃとする面接触を減少させる手段、すなわち、対向する側面同士が全面で接触することを防止する面接触防止手段を設けているため、導光板１が移動したとき、または熱による膨張によって導光板１の側面１ａが移動したときなどに、導光板１とフレーム４の側面同士が接触した状態で、表示装置９に圧力などの外力が加わった場合に軋み音が発生することを防止することができる。
【００１５】
また、図１に示すように、本発明に用いる面状光源装置６のフレーム４の側面部４ａの形状は、１つの凸部４ｂおよび１つの凹部４ｃを想定して説明したが、凸部、凹部は複数形成してもよい。さらに、導光板１の移動時に導光板１の側面１ａとフレーム４の側面部４ａとの接触面が減少するよう、凸部、凹部の個数および形状、側面同士が接触する割合は適宜変更することができる。
【００１６】
また、図３に示すように導光板１の側面１ａに本発明の形状を適用してもよい。前述した通り、本発明に用いる導光板１はフレーム４と比較すると膨張しやすく、導光板１が膨張した場合、側面１ａはフレーム４の側面部４ａ側に移動する。導光板１は出射面１ｂおよび反出射面1ｃの動きがシート類２および反射シート３などで規制されているため、導光板１の側面１ａ側より膨張した場合、導光板１の側面１ａの形状が変化しにくい。このため、導光板１の側面１ａにフレーム４の側面部４ａとの面接触を減少する手段を設けることで、導光板１の膨張によって、導光板１の側面１ａがフレーム４の側面部４ａと接触する場合であっても、フレーム４と導光板１の側面同士の接触する面積を確実に減少させることができる。
【００１７】
実施の形態２．
図４は本発明による他の実施の形態にかかわる表示装置９の部分断面図、図５は図４に示す表示装置９の導光板１が移動した場合の部分断面図である。実施の形態１においては、フレーム４の側面部４ａを凸部４ｂおよび凹部４ｃで形成させたが、フレーム４の側面を傾斜面としてもよい。本実施の形態２においては、フレームの側面部を傾斜面としたところのみが実施の形態１と異なることであり、その他は実施の形態１と同様である。
【００１８】
図４において、フレーム４の側面に傾斜面４ｄを形成する場合、傾斜面４ｄは導光板１の出射面１ｂを支持するフレーム４の内壁の上面４ｅより、反出射面１ｃの方向に引いた垂線と、傾斜面４ｄとのなす角θ１が５°以上となるようにする。図５に示すように、フレーム４の側面を傾斜面４ｄとしたので、導光板１がフレーム４側へ移動した場合、フレーム４の側面が導光板１の側面１ａと面接触することを防止できる。さらに、フレーム４の側面を傾斜面４ｄとしたことで、導光板１の側面１ａとフレーム４の傾斜面４ｄとの接触は線接触となり、導光板１とフレーム４の側面同士が面接触することを防止するため、導光板１とフレーム４の側面同士が接触した状態で、表示装置９に圧力などの外力が加わった場合に軋み音が発生することを防止することができる。
【００１９】
また、本実施の形態２の変形例として、図６に示すように、傾斜面は導光板１の側面に設けることもできる。導光板１に傾斜面を形成する場合、傾斜面１ｄは導光板１の反出射面１ｃから、出射面１ｂの方向に引いた垂線と、傾斜面１ｄとのなす角θ２が５°以上となるようにする。このように、導光板１の側面を傾斜面１ｄとしたので、導光板１が移動した場合、フレーム４の側面と導光板１の傾斜面１ｄとが接触する部分が線接触となり、導光板１とフレーム４の側面同士が面接触することを防止するため、導光板１とフレーム４の側面同士が接触した状態で、表示装置９に圧力などの外力が加わった場合に軋み音が発生することを防止することができる。
【００２０】
なお、本実施の形態２においては、フレーム４の側面または導光板１の側面に形成した傾斜面は、側面の少なくとも一部に形成することでよい。少なくとも一部を傾斜面とすることで、導光板１とフレーム４の側面同士が面接触することを防止するため、導光板１とフレーム４の側面同士が接触した状態で、表示装置９に圧力などの外力が加わった場合に軋み音が発生することを防止することができる。
【００２１】
なお、本実施の形態２の他の変形例として、図７に示すように、導光板１の側面（１ｄ）およびフレーム４の側面部（４ｄ）の両方を傾斜面としてもよい。導光板１、フレーム４の側面の両方に傾斜面を形成する場合、傾斜面１ｄ、４ｄが互いに平行にならないように形成し、それぞれの傾斜面同士のなす角θ３が５°以上となるようにする。このように、導光板１の側面およびフレーム４の側面を傾斜面としたので、導光板１が移動した場合、フレーム４および導光板１の側面の接触する部分が線接触となり、導光板１とフレーム４の側面同士が面接触することを防止するため、導光板１とフレーム４の側面同士が接触した状態で、表示装置９に圧力などの外力が加わった場合に軋み音が発生することを防止することができる。
【００２２】
実施の形態３．
図８、図９は本発明による実施の形態３にかかわる表示装置９の部分断面図である。実施の形態２においては、フレーム４の側面部４ａに傾斜面４ｄを形成させたが、図８に示すようにフレーム４の側面部を曲面としてもよい。本実施の形態３においては、フレームの側面部を曲面としたところのみが実施の形態１、２と異なることであり、その他の構成、作用効果は実施の形態１、２と同様である。
【００２３】
図８に示すように、フレーム４の側面部に曲面４ｆを形成する場合、曲面４ｆはフレーム４の内壁の上面４ｅと、外壁の側面４ｈとをつなぐ曲面であって、フレーム４側に中心をもつ曲面とする。フレーム４の側面を曲面４ｆとしたので、導光板１が移動した場合、フレーム４および導光板１の側面の接触する部分がほぼ線接触となり、導光板１とフレーム４の側面同士が接触した状態で、表示装置９に圧力などの外力が加わった場合、導光板１とフレーム４の側面同士が面接触することを防止するため、軋み音が発生することを防止することができる。なお、図８に示すように、曲面４ｆはフレーム４側に中心を持つ曲面としたが、導光板１側に中心を持つ曲面であってもよい。
【００２４】
なお、本実施の形態ではフレーム４の側面を曲面４ｆとしたが、図９に示すように、導光板１の側面を曲面としてもよい。図９において、導光板１に設ける曲面１ｅを形成する場合、曲面１ｅは導光板１の出射面１ｂと反出射面１ｃとをつなぐ曲面であって、導光板１側に中心をもつ曲面とする。導光板１の側面を曲面１ｅとしたので、導光板１の曲面１ｅとフレームの側面との接触は線接触となり、導光板１とフレーム４の側面同士が接触した状態で、表示装置９に圧力などの外力が加わった場合、導光板１とフレーム４の側面同士が面接触することを防止するため、軋み音が発生することを防止することができる。
【００２５】
また、本実施の形態３では、フレーム４の側面および／または導光板１の側面の形状を変更させたが、図１０に示すように、導光板１の側面をサンドペーパー等で擦り粗面１ｆとする。導光板の側面を粗面１ｆとしたので、導光板１とフレーム４の側面同士が面接触することを防止させるため、導光板１とフレーム４の側面同士が接触した状態で、表示装置９に外力が加わった場合、軋み音が発生することを防止することができる。なお、この粗面はフレーム４の側面に設ける構成でもよい。このように、フレーム４の側面および／または導光板１の側面の形状を適宜変更させることによって、本発明の効果を奏することが可能である。
【図面の簡単な説明】
【００２６】
【図１】本発明の実施の形態１にかかわる表示装置の部分断面図である。
【図２】本発明の実施の形態１にかかわる表示装置の部分断面図である。
【図３】本発明の実施の形態１にかかわる表示装置の部分断面図である。
【図４】本発明の実施の形態２にかかわる表示装置の部分断面図である。
【図５】本発明の実施の形態２にかかわる表示装置の部分断面図である。
【図６】本発明の実施の形態２にかかわる表示装置の部分断面図である。
【図７】本発明の実施の形態２にかかわる表示装置の部分断面図である。
【図８】本発明の実施の形態３にかかわる表示装置の部分断面図である。
【図９】本発明の実施の形態３にかかわる表示装置の部分断面図である。
【図１０】本発明の実施の形態３にかかわる表示装置の部分断面図である。
【符号の説明】
【００２７】
１  導光板、  ２  光学シート類、  ３  反射シート、  ４  フレーム、  ５  リアフレーム、  ６  面状光源装置、  ７  フロントフレーム、  ８  表示パネル、  ９  表示装置、  １０  間隔  、  １ａ  導光板の側面、  １ｂ  導光板の出射面、  １ｃ  導光板の反出射面、１ｄ  導光板の側面に設けた傾斜面、  １ｅ  導光板の側面に設けた曲面、４ａ  フレームの内壁の側面部、４ｂ  フレームの側面に設けた凸部、  ４ｃ  フレームの側面に設けた凹部、  ４ｄ  フレームの側面に設けた曲面、  ４ｆ  フレームの側面に設けた曲面。
【図１】
2008041533.tif 000003
【図２】
2008041533.tif 000004
【図３】
2008041533.tif 000005
【図４】
2008041533.tif 000006
【図５】
2008041533.tif 000007
【図６】
2008041533.tif 000008
【図７】
2008041533.tif 000009
【図８】
2008041533.tif 000010
【図９】
2008041533.tif 000011
【図１０】
2008041533.tif 000012